(57)【要約】【課題】操作の際に、セキュリティの向上を図ることが可能なＫＶＭスイッチ及びプログラムを提供する。【解決手段】ＫＶＭスイッチ１は、制御部１１、切替部１２、指紋情報読取部１３及び記憶部１４を備えている。記憶部１４は予めユーザ毎の指紋情報を記憶し、指紋情報読取部１３はユーザの指紋情報を読み取り、指紋情報読取部１３に読み取られた指紋情報と記憶部１４に記憶された指紋情報とが一致する場合に、制御部１１は当該ユーザに当該ＫＶＭスイッチの操作を許可する。【選択図】図１
2009187072.tif 000002
【特許請求の範囲】
【請求項１】
複数の情報処理装置と周辺機器との間に接続されるＫＶＭスイッチであって、
予めユーザ毎の指紋情報を記憶する記憶手段と、
ユーザの指紋情報を読み取る読取手段と、
前記読取手段に読み取られた指紋情報と前記記憶手段に記憶された指紋情報とが一致する場合に、前記ユーザに当該ＫＶＭスイッチの操作を許可する制御手段と
を備えていることを特徴とするＫＶＭスイッチ。
【請求項２】
前記制御手段は、前記読取手段に読み取られた指紋情報と前記記憶手段に記憶された指紋情報とが一致する場合に、前記ユーザに当該ＫＶＭスイッチの各種の設定の変更を許可することを特徴とする請求項１に記載のＫＶＭスイッチ。
【請求項３】
操作対象の情報処理装置を切り替える切替手段を備え、
前記制御手段は、前記読取手段に読み取られた指紋情報と前記記憶手段に記憶された指紋情報とが一致する場合に、前記操作対象の情報処理装置を切り替えるように前記切替手段を制御することを特徴とする請求項１又は２に記載のＫＶＭスイッチ。
【請求項４】
複数の情報処理装置と周辺機器との間に接続されるＫＶＭスイッチに、
予めユーザ毎の指紋情報を記憶手段に記憶するステップ、
ユーザの指紋情報を読み取るステップ、及び
前記読み取られた指紋情報と前記記憶された指紋情報とが一致する場合に、前記ユーザに当該ＫＶＭスイッチの操作を許可するステップ
を実行させることを特徴とするプログラム。
【発明の詳細な説明】
【技術分野】
【０００１】
本発明は、ＫＶＭスイッチ及びプログラムに関する。
【背景技術】
【０００２】
従来より、複数のコンピュータと、該複数のコンピュータに対して信号の入出力を行うためのキーボード、マウス及びモニタの周辺機器とが接続可能なＫＶＭスイッチ（Ｋ：キーボード、Ｖ：ビデオ、Ｍ：マウス）が知られている（例えば、特許文献１参照）。このＫＶＭスイッチは、キーボード、マウス及びモニタの周辺機器からアクセスするコンピュータを切り替えることができる。
【特許文献１】特開２００５−１８１３５号公報
【発明の開示】
【発明が解決しようとする課題】
【０００３】
ところで、複数のユーザでＫＶＭスイッチを共有する場合、ユーザの区別は、ユーザ名及びパスワードによって実施される。しかし、あるユーザがユーザ名及びパスワードを入力する際に、他人に当該ユーザ名及びパスワードを盗み見されるおそれがある。
【０００４】
本発明の目的は、操作の際に、セキュリティの向上を図ることが可能なＫＶＭスイッチ及びプログラムを提供することにある。
【課題を解決するための手段】
【０００５】
上記目的を達成するため、本発明のＫＶＭスイッチは、複数の情報処理装置と周辺機器との間に接続されるＫＶＭスイッチであって、予めユーザ毎の指紋情報を記憶する記憶手段と、ユーザの指紋情報を読み取る読取手段と、前記読取手段に読み取られた指紋情報と前記記憶手段に記憶された指紋情報とが一致する場合に、前記ユーザに当該ＫＶＭスイッチの操作を許可する制御手段とを備えていることを特徴とする。
【０００６】
かかる構成によれば、パスワードを盗み見されることはなく、ユーザの操作の際に、セキュリティの向上を図ることができる。
【０００７】
好ましくは、前記制御手段は、前記読取手段に読み取られた指紋情報と前記記憶手段に記憶された指紋情報とが一致する場合に、前記ユーザに当該ＫＶＭスイッチの各種の設定の変更を許可することを特徴とする。
【０００８】
かかる構成によれば、ＫＶＭスイッチの各種の設定の変更の際に、セキュリティの向上を図ることができる。
【０００９】
好ましくは、操作対象の情報処理装置を切り替える切替手段を備え、前記制御手段は、前記読取手段に読み取られた指紋情報と前記記憶手段に記憶された指紋情報とが一致する場合に、前記操作対象の情報処理装置を切り替えるように前記切替手段を制御することを特徴とする。
【００１０】
かかる構成によれば、操作対象の情報処理装置を切り替える際に、セキュリティの向上を図ることができる。
【００１１】
本発明のプログラムは、複数の情報処理装置と周辺機器との間に接続されるＫＶＭスイッチに、予めユーザ毎の指紋情報を記憶手段に記憶するステップ、ユーザの指紋情報を読み取るステップ、及び前記読み取られた指紋情報と前記記憶された指紋情報とが一致する場合に、前記ユーザに当該ＫＶＭスイッチの操作を許可するステップを実行させることを特徴とする。
【００１２】
かかる構成によれば、パスワードを盗み見されることはなく、ユーザの操作の際に、セキュリティの向上を図ることができる。
【発明の効果】
【００１３】
本発明によれば、操作の際に、セキュリティの向上を図ることができる。
【発明を実施するための最良の形態】
【００１４】
以下、図面を参照しながら本発明の実施の形態を説明する。
【００１５】
図１は、本発明の実施の形態に係るＫＶＭスイッチの概略構成図である。
【００１６】
図１のＫＶＭスイッチ１は、パーソナルコンピュータ（ＰＣ）２，３、キーボード４、マウス５及びモニタ６に接続されている。ＫＶＭスイッチ１は、制御部１１（制御手段）、切替部１２（切替手段）、指紋情報読取部１３（読取手段）、及び記憶部１４（記憶手段）を備えている。切替部１２、指紋情報読取部１３、記憶部１４、キーボード４、マウス５及びモニタ６は制御部１１に接続されており、切替部１２は、ＰＣ２，３に切り替え可能な状態で接続されている。
【００１７】
切替部１２は、各ユーザが利用するＰＣをＰＣ２，３のいずれかに切り替える。指紋情報読取部１３は、ユーザの人差し指の情報を読み取り、記憶部１４は、不揮発性のメモリ又はハードディスクドライブ等で構成されており、指紋情報を含む各種の情報、各種のデータ、及び各種のプログラム等を記憶する。指紋情報は、ユーザの指紋の画像データでも、当該画像データを公知の処理により分析した指紋の特徴データであってもよい。
【００１８】
制御部１１は、切替部１２、指紋情報読取部１３、及び記憶部１４の動作を制御する。特に、制御部１１は、キーボード４及びマウス５からのＰＣの切り替え指示を受信すると、切替部１２に当該ＰＣの切り替え指示を出力し、切替部１２がＰＣの切り替えを実行する。また、制御部１１は、キーボード４及びマウス５の操作データを切替部１２を介してＰＣ２又はＰＣ３に送信すると共にＰＣ２又はＰＣ３から受信したＲＧＢ信号をモニタ６に出力する。尚、ＫＶＭスイッチ１に接続されるＰＣは、２台以上あってもよい。
【００１９】
図２は、指紋情報保存モードで制御部１１に実行される処理を示すフローチャートである。
【００２０】
まず、ユーザが所定のホットキー（例えばCtrl+F1キー）の入力を行うと、制御部１１は、図３に示す指紋情報保存モードの設定画面をモニタ６に出力する（ステップＳ１１）。このとき、ユーザは、図３に示す指紋情報保存モードの設定画面にユーザ名を入力する。次に、制御部１１は、指紋情報保存モードの設定画面のＯＫボタンが押下された否かを判別する（ステップＳ１２）。
【００２１】
ステップＳ１２でＮＯの場合には、当該判別を繰り返す。一方、ステップＳ１２でＹＥＳの場合には、制御部１１は、指紋情報読取部１３における指紋情報の読み取りが完了したか否かを判別する（ステップＳ１３）。ステップＳ１３でＮＯの場合には、当該判別を繰り返す。一方、ステップＳ１３でＹＥＳの場合には、制御部１１は、ユーザ名及び指紋情報をユーザ毎に記憶部１４に保存し（ステップＳ１４）、本処理を終了する。
【００２２】
図４は、記憶部１４に保存されるテーブルデータの一例を示す図である。
【００２３】
図４のテーブルデータには、ユーザ名、使用可能なＰＣ、及び指紋情報の各項目のデータが保存される。図２のステップＳ１４の工程により、制御部１１がユーザ名及び指紋情報をテーブルデータに保存する。また、制御部１１は、キーボード４からのデータ入力に応じて、使用可能なＰＣのデータを図４のテーブルデータに保存する。
【００２４】
図５は、制御モードで制御部１１に実行される処理を示すフローチャートである。
【００２５】
まず、制御部１１は、指紋情報読取部１３における指紋情報の読み取りが完了したか否かを判別する（ステップＳ２１）。
【００２６】
ステップＳ２１でＮＯの場合には、当該判別を繰り返す。一方、ステップＳ２１でＹＥＳの場合には、制御部１１は、指紋情報読取部１３に読み取られた指紋情報と予めテーブルデータに保存されている指紋情報とが一致するか否かを判別する（ステップＳ２２）。
【００２７】
ステップＳ２２でＮＯの場合には、当該判別を繰り返す。一方、ステップＳ２２でＹＥＳの場合には、制御部１１は、ＫＶＭスイッチ１の設定を変更する指示を入力したか否かを判別する（ステップＳ２３）。
【００２８】
ステップＳ２３でＹＥＳの場合には、制御部１１は、ＫＶＭスイッチ１の設定の変更を許可し（ステップＳ２４）、本処理を終了する。ＫＶＭスイッチ１の設定とは、例えば、テーブルデータの使用可能なＰＣの設定、モニタ６に表示されるＲＧＢ信号の画面データのサイズの設定、当該画面データの色の設定、又はマウス５のカーソル移動量の設定などがある。
【００２９】
ステップＳ２３でＮＯの場合には、制御部１１は、操作対象のＰＣの切り替え指示を入力したか否かを判別する（ステップＳ２５）。
【００３０】
ステップＳ２５でＹＥＳの場合には、制御部１１は、操作対象のＰＣの切り替え指示に応じて、操作対象のＰＣの切り替えるように切替部１２を制御し（ステップＳ２６）、本処理を終了する。一方、ステップＳ２５でＮＯの場合には、ステップＳ２６の工程をスキップし、本処理を終了する。
【００３１】
以上説明したように、記憶部１４が予めユーザ毎の指紋情報を記憶し、指紋情報読取部１３がユーザの指紋情報を読み取り、指紋情報読取部１３に読み取られた指紋情報と記憶部１４に記憶された指紋情報とが一致する場合に、制御部１１は当該ユーザに当該ＫＶＭスイッチの操作を許可するので、パスワードを盗み見されることはなく、ユーザの操作の際に、セキュリティの向上を図ることができる。
【００３２】
また、制御部１１は、指紋情報読取部１３に読み取られた指紋情報と記憶部１４に記憶された指紋情報とが一致する場合に、ユーザに当該ＫＶＭスイッチの各種の設定の変更を許可するので、ＫＶＭスイッチの各種の設定の変更の際に、セキュリティの向上を図ることができる。
【００３３】
さらに、制御部１１は、指紋情報読取部１３に読み取られた指紋情報と記憶部１４に記憶された指紋情報とが一致する場合に、操作対象のＰＣを切り替えるように切替部１２を制御するので、操作対象のＰＣを切り替える際に、セキュリティの向上を図ることができる。
【００３４】
また、ＫＶＭスイッチ１の制御部１１が、ＫＶＭスイッチ１の機能を実現するためのソフトウェアのプログラムを外部から受信して実行することによっても、上記実施の形態と同様の効果を奏する。
【００３５】
尚、本発明は、上述した実施の形態に限定されるものではなく、その要旨を逸脱しない範囲内で種々変形して実施することが可能である。
【図面の簡単な説明】
【００３６】
【図１】本発明の実施の形態に係るＫＶＭスイッチの概略構成図である。
【図２】指紋情報保存モードで制御部１１に実行される処理を示すフローチャートである。
【図３】指紋情報保存モードの設定画面の一例を示す図である。
【図４】記憶部１４に保存されるテーブルデータの一例を示す図である。
【図５】制御モードで制御部１１に実行される処理を示すフローチャートである。
【符号の説明】
【００３７】
１  ＫＶＭスイッチ
２，３  ＰＣ
４  キーボード
５  マウス
６  モニタ
１１  制御部
１２  切替部
１３  指紋情報読取部
１４  記憶部
【図１】
2009187072.tif 000003
【図２】
2009187072.tif 000004
【図３】
2009187072.tif 000005
【図４】
2009187072.tif 000006
【図５】
2009187072.tif 000007